【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、
上記転写ブラシにおける複数の上記起毛が、それぞれポリアミド樹脂に導電性の抵抗調整剤を分散せしめた材料からなるものであり、
上記転写ブラシにおける上記ベルト部材との接触領域であるブラシ面の全域に接触させたステンレス（ＳＵＳ３０４）製の電極と、バイアス電源とを、２０［ＭΩ］の電気抵抗を介して接続し、且つ、上記転写ブラシを保持するステンレス（ＳＵＳ３０４）製の保持部材を、電流計を介してアース接続した状態で、上記バイアス電源によって上記電気抵抗と上記保持部材との間に２［ｋＶ］の直流バイアスを印加し、印加後から１分経過したときにおける電流値をブラシＶＩ値として上記電流計から読み取る作業によって得られた上記ブラシＶＩ値を、上記ブラシ面の単位面積あたりで換算した値が、４．３［μＡ／ｃｍ２］以下であり、
上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、上記電流計の電流値を１００［回／ｓｅｃ］の時間間隔でスキャン電流として順次読み取る作業によって得られた複数の上記スキャン電流の最大値を、上記ブラシ面の単位面積あたりで換算した値が、５６．５［μＡ／ｃｍ２］以下であり、
且つ、
上記ベルト部材の体積固有抵抗率が、ＪＩＳＫ６９１１で１０７〜１０１１［Ω・ｃｍ］であることを特徴とする転写装置。
【請求項２】
無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、
上記転写ブラシにおける複数の上記起毛が、それぞれポリアミド樹脂に導電性の抵抗調整剤を分散せしめた材料からなるものであり、
上記転写ブラシにおける上記ベルト部材との接触領域であるブラシ面の全域に接触させたステンレス（ＳＵＳ３０４）製の電極と、バイアス電源とを、２０［ＭΩ］の電気抵抗を介して接続し、且つ、前記転写ブラシを保持するステンレス（ＳＵＳ３０４）製の保持部材を、電流計を介してアース接続した状態で、上記バイアス電源によって上記電気抵抗と前記保持部材との間に２［ｋＶ］の直流バイアスを印加し、印加後から１分経過したときにおける電流値をブラシＶＩ値として上記電流計から読み取る作業によって得られた上記ブラシＶＩ値を、上記ブラシ面の単位面積あたりで換算した値が、４．３［μＡ／ｃｍ２］以下であり、
上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、前記電流計の電流値を１００［回／ｓｅｃ］の時間間隔でスキャン電流として順次読み取る作業によって得られた複数の上記スキャン電流値の最大値から平均値を減じた値に対して前記平均値の除算と１００の乗算とを行った値であるリップルが、３４［％］未満であり、
上記ベルト部材の体積固有抵抗率が、ＪＩＳＫ６９１１で１０７〜１０１１［Ω・ｃｍ］であることを特徴とする転写装置。
【請求項３】
無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、
上記転写ブラシにおける複数の上記起毛が、それぞれポリアミド樹脂に導電性の抵抗調整剤を分散せしめた材料からなるものであり、
上記起毛の両端部にそれぞれ金属製のクリップを装着した後、クリップ間の距離を調整して上記起毛に１００〜２００［ｇｆ］のテンションをかけ、この状態で、両クリップ間に２００［Ｖ］のバイアスを印加し、１分後の電流値を電流計によって読み取った結果に基づいて求めた上記起毛の単位長さあたりにおける電気抵抗値が、３．０×１０１０［Ω／ｍｍ］以上であって、
上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、上記電流計の電流値を１００［回／ｓｅｃ］の時間間隔でスキャン電流として順次読み取る作業によって得られた複数の上記スキャン電流の最大値を、上記ブラシ面の単位面積あたりで換算した値が、５６．５［μＡ／ｃｍ２］以下であり、
上記ベルト部材の体積固有抵抗率が、ＪＩＳＫ６９１１で１０７〜１０１１［Ω・ｃｍ］であることを特徴とする転写装置。
【請求項４】
無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、
上記転写ブラシにおける複数の上記起毛が、それぞれポリアミド樹脂に導電性の抵抗調整剤を分散せしめた材料からなるものであり、
上記起毛の両端部にそれぞれ金属製のクリップを装着した後、クリップ間の距離を調整して上記起毛に１００〜２００［ｇｆ］のテンションをかけ、この状態で、両クリップ間に２００［Ｖ］のバイアスを印加し、１分後の電流値を電流計によって読み取った結果に基づいて求めた上記起毛の単位長さあたりにおける電気抵抗値が、３．０×１０１０［Ω／ｍｍ］以上であり、
上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、上記電流計の電流値を１００［回／ｓｅｃ］の時間間隔でスキャン電流として順次読み取る作業によって得られた複数の上記スキャン電流値の最大値から平均値を減じた値に対して前記平均値の除算と１００の乗算とを行った値であるリップルが、３４［％］未満であり、
上記ベルト部材の体積固有抵抗率が、ＪＩＳＫ６９１１で１０７〜１０１１［Ω・ｃｍ］であることを特徴とする転写装置。
【請求項５】
請求項１乃至４の何れかの転写装置において、
上記ベルト部材として、導電性ゴムからなるベルト基体のおもて面側に導電性樹脂からなる表面層が形成されたものを用いたことを特徴とする転写装置。
【請求項６】
請求項１乃至５の何れかの転写装置であって、
上記ベルト部材の裏面側の表面抵抗率が、ＪＩＳＫ６９１１で１０７〜１０１０［Ω／□］であることを特徴とする転写装置。
【請求項７】
請求項１乃至６の何れかの転写装置であって、
上記ベルト部材のおもて面側の表面抵抗率が、ＪＩＳＫ６９１１で１０８〜１０１３[Ω／□]であることを特徴とする転写装置。
【請求項８】
請求項１乃至７の何れかの転写装置において、
上記ベルト部材の裏面に当接しながら回転する転写ローラを設け、
上記ブラシ部材を、上記ベルト部材の周方向における全域のうち、前記転写ローラと、これよりもベルト移動方向上流側で上記ベルト部材を張架している張架部材との間におけるベルト展張領域に当接させたことを特徴とする転写装置。
【請求項９】
請求項８の転写装置において、
上記ブラシ部材を、上記ベルト展張領域のうち、上記ベルト部材と上記像担持体との接触領域よりもベルト移動方向下流側の領域に当接させたことを特徴とする転写装置。
【請求項１０】
請求項１乃至９の何れかの転写装置において、
前記ブラシ部材として、上記起毛の含水率が、２０℃９５％ＲＨの環境下にて９.０％以下であるものを用いたことを特徴とする転写装置。
【請求項１１】
請求項１０の転写装置において、
上記起毛として、断面方向にカーボンが均一に分散せしめられたものを用いたことを特徴とする転写装置。
【請求項１２】
請求項１乃至１１の何れかの転写装置であって、
無端状のベルト部材を複数の張架部材によって張架しながら無端移動せしめながら、転写ブラシのブラシ部の先端側を上記ベルト部材のループ内側面である裏面に接触させ、上記転写ブラシに印加される転写バイアスを前記ブラシ部の先端側から上記ベルト部材の裏面に導きながら、上記ベルト部材のおもて面に接触している像担持体の表面の可視像を上記ベルト部材のおもて面又はこれに保持される転写材に転写するようにし、
上記小電極として、ベルト部材移動方向に二等分した２つの領域のうち、上記像担持体に対してより近くに位置する領域に絶縁性テープを貼り付けたものを用いて測定した上記スキャン電流値である像担持体側スキャン電流の最大値が、上記絶縁性テープを貼り付けていない上記小電極を用いて測定した上記スキャン電流の最大値よりも小さいことを特徴とする転写装置。
【請求項１３】
無端移動する表面に可視像を担持する像担持体と、該表面に潜像を形成する潜像形成手段と、該表面の潜像を現像する現像手段と、現像によって得られた可視像を無端移動するベルト部材のおもて面又はこれに保持される転写材に転写する転写手段とを備える画像形成装置において、
上記転写手段として、請求項１乃至１２の何れかの転写装置を用いたことを特徴とする画像形成装置。
【請求項１４】
請求項１３の画像形成装置において、
上記転写装置として、実効転写電荷密度を１．０６×１０−７［Ｃ／ｃｍ２］以下にするものを用いたことを特徴とする画像形成装置。
【請求項１５】
上記転写手段として、上記ベルト部材に印加する転写バイアスを出力する電源からの転写電荷密度を実効転写電荷密度よりも大きく且つ２．６７×１０−７［Ｃ／ｃｍ２］以下にするものを用いたことを特徴とする画像形成装置。
【請求項１６】
請求項１３の画像形成装置において、
上記転写手段として、上記ベルト部材に印加する転写バイアスを出力する電源からの転写電荷密度を５．８７×１０−８［Ｃ／ｃｍ２］よりも大きく且つ２．６７×１０−７［Ｃ／ｃｍ２］以下にするものを用いたことを特徴とする画像形成装置。
【請求項１７】
無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、
上記転写ブラシにおける複数の上記起毛が、それぞれポリアミド樹脂に導電性の抵抗調整剤を分散せしめた材料からなるものであり、
上記起毛が、断面方向においてカーボンを均一に分散せしめられたものであり、
上記ベルト部材の体積固有抵抗率が、ＪＩＳＫ６９１１で１０７〜１０１１［Ω・ｃｍ］であることを特徴とする転写装置。
【手続補正２】
【補正対象書類名】明細書
【補正対象項目名】発明の名称
【補正方法】変更
【補正の内容】
【発明の名称】転写装置及び画像形成装置
【手続補正３】
【補正対象書類名】明細書
【補正対象項目名】０００８
【補正方法】変更
【補正の内容】
【０００８】
上記目的を達成するために、請求項１の発明は、無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、上記転写ブラシにおける複数の上記起毛が、それぞれポリアミド樹脂に導電性の抵抗調整剤を分散せしめた材料からなるものであり、上記転写ブラシにおける上記ベルト部材との接触領域であるブラシ面の全域に接触させたステンレス（ＳＵＳ３０４）製の電極と、バイアス電源とを、２０［ＭΩ］の電気抵抗を介して接続し、且つ、上記転写ブラシを保持するステンレス（ＳＵＳ３０４）製の保持部材を、電流計を介してアース接続した状態で、上記バイアス電源によって上記電気抵抗と上記保持部材との間に２［ｋＶ］の直流バイアスを印加し、印加後から１分経過したときにおける電流値をブラシＶＩ値として上記電流計から読み取る作業によって得られた上記ブラシＶＩ値を、上記ブラシ面の単位面積あたりで換算した値が、４．３［μＡ／ｃｍ２］以下であり、上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、上記電流計の電流値を１００［回／ｓｅｃ］の時間間隔でスキャン電流として順次読み取る作業によって得られた複数の上記スキャン電流の最大値を、上記ブラシ面の単位面積あたりで換算した値が、５６．５［μＡ／ｃｍ２］以下であり、且つ、上記ベルト部材の体積固有抵抗率が、ＪＩＳＫ６９１１で１０７〜１０１１［Ω・ｃｍ］であることを特徴とするものである。
また、請求項２の発明は、無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、上記転写ブラシにおける複数の上記起毛が、それぞれポリアミド樹脂に導電性の抵抗調整剤を分散せしめた材料からなるものであり、上記転写ブラシにおける上記ベルト部材との接触領域であるブラシ面の全域に接触させたステンレス（ＳＵＳ３０４）製の電極と、バイアス電源とを、２０［ＭΩ］の電気抵抗を介して接続し、且つ、前記転写ブラシを保持するステンレス（ＳＵＳ３０４）製の保持部材を、電流計を介してアース接続した状態で、上記バイアス電源によって上記電気抵抗と前記保持部材との間に２［ｋＶ］の直流バイアスを印加し、印加後から１分経過したときにおける電流値をブラシＶＩ値として上記電流計から読み取る作業によって得られた上記ブラシＶＩ値を、上記ブラシ面の単位面積あたりで換算した値が、４．３［μＡ／ｃｍ２］以下であり、上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、前記電流計の電流値を１００［回／ｓｅｃ］の時間間隔でスキャン電流として順次読み取る作業によって得られた複数の上記スキャン電流値の最大値から平均値を減じた値に対して前記平均値の除算と１００の乗算とを行った値であるリップルが、３４［％］未満であり、上記ベルト部材の体積固有抵抗率が、ＪＩＳＫ６９１１で１０７〜１０１１［Ω・ｃｍ］であることを特徴とするものである。
また、請求項３の発明は、無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、上記転写ブラシにおける複数の上記起毛が、それぞれポリアミド樹脂に導電性の抵抗調整剤を分散せしめた材料からなるものであり、上記起毛の両端部にそれぞれ金属製のクリップを装着した後、クリップ間の距離を調整して上記起毛に１００〜２００［ｇｆ］のテンションをかけ、この状態で、両クリップ間に２００［Ｖ］のバイアスを印加し、１分後の電流値を電流計によって読み取った結果に基づいて求めた上記起毛の単位長さあたりにおける電気抵抗値が、３．０×１０１０［Ω／ｍｍ］以上であって、上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、上記電流計の電流値を１００［回／ｓｅｃ］の時間間隔でスキャン電流として順次読み取る作業によって得られた複数の上記スキャン電流の最大値を、上記ブラシ面の単位面積あたりで換算した値が、５６．５［μＡ／ｃｍ２］以下であり、上記ベルト部材の体積固有抵抗率が、ＪＩＳＫ６９１１で１０７〜１０１１［Ω・ｃｍ］であることを特徴とするものである。
また、請求項４の発明は、無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、上記転写ブラシにおける複数の上記起毛が、それぞれポリアミド樹脂に導電性の抵抗調整剤を分散せしめた材料からなるものであり、上記起毛の両端部にそれぞれ金属製のクリップを装着した後、クリップ間の距離を調整して上記起毛に１００〜２００［ｇｆ］のテンションをかけ、この状態で、両クリップ間に２００［Ｖ］のバイアスを印加し、１分後の電流値を電流計によって読み取った結果に基づいて求めた上記起毛の単位長さあたりにおける電気抵抗値が、３．０×１０１０［Ω／ｍｍ］以上であり、上記ブラシ面のベルト部材移動方向の全域に接触するとともに上記ブラシ面のベルト部材幅方向に１０［ｍｍ］の長さで接触する小電極を上記ブラシ面のベルト部材幅方向の一端部に接触させ、その小電極とバイアス電源とを、２０［ＭΩ］の電気抵抗を介在させて接続し、且つ、上記転写ブラシを保持する保持部材を、電流計を介してアース接続した状態で、上記バイアス電源によって上記電気抵抗と上記保持部材との間に２［ｋＶ］の直流バイアスを印加した後、上記小電極をベルト部材幅方向の一端側から他端側に向けて１０［ｍｍ／ｓｅｃ］の速度で移動させながら、上記電流計の電流値を１００［回／ｓｅｃ］の時間間隔でスキャン電流として順次読み取る作業によって得られた複数の上記スキャン電流値の最大値から平均値を減じた値に対して前記平均値の除算と１００の乗算とを行った値であるリップルが、３４［％］未満であり、上記ベルト部材の体積固有抵抗率が、ＪＩＳＫ６９１１で１０７〜１０１１［Ω・ｃｍ］であることを特徴とするものである。
また、請求項５の発明は、請求項１乃至４の何れかの転写装置において、上記ベルト部材として、導電性ゴムからなるベルト基体のおもて面側に導電性樹脂からなる表面層が形成されたものを用いたことを特徴とするものである。
また、請求項６の発明は、請求項１乃至５の何れかの転写装置であって、上記ベルト部材の裏面側の表面抵抗率が、ＪＩＳＫ６９１１で１０７〜１０１０［Ω／□］であることを特徴とするものである。
また、請求項７の発明は、請求項１乃至６の何れかの転写装置であって、上記ベルト部材のおもて面側の表面抵抗率が、ＪＩＳＫ６９１１で１０８〜１０１３[Ω／□]であることを特徴とするものである。
また、請求項８の発明は、請求項１乃至７の何れかの転写装置において、上記ベルト部材の裏面に当接しながら回転する転写ローラを設け、上記ブラシ部材を、上記ベルト部材の周方向における全域のうち、前記転写ローラと、これよりもベルト移動方向上流側で上記ベルト部材を張架している張架部材との間におけるベルト展張領域に当接させたことを特徴とするものである。
また、請求項９の発明は、請求項８の転写装置において、上記ブラシ部材を、上記ベルト展張領域のうち、上記ベルト部材と上記像担持体との接触領域よりもベルト移動方向下流側の領域に当接させたことを特徴とするものである。
また、請求項１０の発明は、請求項１乃至９の何れかの転写装置において、前記ブラシ部材として、上記起毛の含水率が、２０℃９５％ＲＨの環境下にて９.０％以下であるものを用いたことを特徴とするものである。
また、請求項１１の発明は、請求項１０の転写装置において、上記起毛として、断面方向にカーボンが均一に分散せしめられたものを用いたことを特徴とするものである。
また、請求項１２の発明は、請求項１乃至１１の何れかの転写装置であって、無端状のベルト部材を複数の張架部材によって張架しながら無端移動せしめながら、転写ブラシのブラシ部の先端側を上記ベルト部材のループ内側面である裏面に接触させ、上記転写ブラシに印加される転写バイアスを前記ブラシ部の先端側から上記ベルト部材の裏面に導きながら、上記ベルト部材のおもて面に接触している像担持体の表面の可視像を上記ベルト部材のおもて面又はこれに保持される転写材に転写するようにし、上記小電極として、ベルト部材移動方向に二等分した２つの領域のうち、上記像担持体に対してより近くに位置する領域に絶縁性テープを貼り付けたものを用いて測定した上記スキャン電流値である像担持体側スキャン電流の最大値が、上記絶縁性テープを貼り付けていない上記小電極を用いて測定した上記スキャン電流の最大値よりも小さいことを特徴とするものである。
また、請求項１３の発明は、無端移動する表面に可視像を担持する像担持体と、該表面に潜像を形成する潜像形成手段と、該表面の潜像を現像する現像手段と、現像によって得られた可視像を無端移動するベルト部材のおもて面又はこれに保持される転写材に転写する転写手段とを備える画像形成装置において、上記転写手段として、請求項１乃至１２の何れかの転写装置を用いたことを特徴とするものである。
また、請求項１４の発明は、請求項１３の画像形成装置において、上記転写装置として、実効転写電荷密度を１．０６×１０−７［Ｃ／ｃｍ２］以下にするものを用いたことを特徴とするものである。
また、請求項１５の発明は、上記転写手段として、上記ベルト部材に印加する転写バイアスを出力する電源からの転写電荷密度を実効転写電荷密度よりも大きく且つ２．６７×１０−７［Ｃ／ｃｍ２］以下にするものを用いたことを特徴とするものである。
また、請求項１６の発明は、請求項１３の画像形成装置において、上記転写手段として、上記ベルト部材に印加する転写バイアスを出力する電源からの転写電荷密度を５．８７×１０−８［Ｃ／ｃｍ２］よりも大きく且つ２．６７×１０−７［Ｃ／ｃｍ２］以下にするものを用いたことを特徴とするものである。
また、請求項１７の発明は、無端状のベルト部材を複数の張架部材によって張架しながら無端移動せしめるベルト装置と、複数の起毛を具備し且つ該ベルト部材のループ内側面である裏面に接触させるように配設された転写ブラシとを有し、該導電性支持体に印加される転写バイアスを該転写ブラシから該ベルト部材の裏面に導きながら、該ベルト部材のおもて面に接触している像担持体の表面に担持された可視像を該ベルト部材のおもて面又はこれに保持される転写材に転写する転写装置であって、上記転写ブラシにおける複数の上記起毛が、それぞれポリアミド樹脂に導電性の抵抗調整剤を分散せしめた材料からなるものであり、上記起毛が、断面方向においてカーボンを均一に分散せしめられたものであり、上記ベルト部材の体積固有抵抗率が、ＪＩＳＫ６９１１で１０７〜１０１１［Ω・ｃｍ］であることを特徴とするものである。
【手続補正４】
【補正対象書類名】明細書
【補正対象項目名】００９０
【補正方法】変更
【補正の内容】
【００９０】
図２２のグラフにおいて、ブラシＶＩ値が６４．２［μＡ］以下である起毛からなる転写ブラシ２０は、既に説明したように、急激な画像濃度変化を抑えることができる。かかる起毛は、同グラフから、起毛の単位長さあたりにおける原糸抵抗値が３．０×１０＾「１０」＾［Ω／ｍｍ］という条件を具備している。そこで、第３実施形態や第４実施形態のプリンタにおいては、転写ブラシ２０として、かかる条件を具備するものを用いている。
【手続補正５】
【補正対象書類名】明細書
【補正対象項目名】００９３
【補正方法】変更
【補正の内容】
【００９３】
表２０から、ナイロン製の転写ブラシ２０では、起毛の含水率が２０℃９５％ＲＨの環境下において９．０％以下であることがわかる。これに対し、レーヨン製の転写ブラシ２０では、２０℃９５％ＲＨの環境下で１２．３〜２５％程度である。ナイロンはレーヨンと比較すると含水率の低い素材であることがわかる。